(57)【特許請求の範囲】
【請求項１】
前後に延びる円筒状の筒状接続部を有する端子金具を内部に保持して回路基板の表面に固定される樹脂製のコネクタハウジングを備えたコネクタであって、
前記コネクタハウジングの内部に形成され、前記筒状接続部が挿入される端子収容部と、
前記端子収容部の内壁に凹んで形成され、前記筒状接続部の挿入方向に沿って延びる案内溝と、
前記筒状接続部の外面から先細り状に径方向外側に突出した形態をなして前記案内溝に収容可能に形成され、前記案内溝に挿入されることで、前記案内溝の内壁に圧入される圧入突起とを備え、
前記圧入突起は、前記筒状接続部の前後方向略中央部に形成され、前記筒状接続部の後端部には、前記回路基板に接続されるリード部が前記回路基板まで延びて形成されており、
前記端子収容部は、前記コネクタハウジングの後面から一段前方に凹んだ位置に配されており、
前記端子収容部の後端下部には、後方に延出された平板状の規制部が設けられており、
前記リード部は、前記規制部の後端から前方に向かって延びるスリットに後方から嵌合することで前記規制部によって前記リード部が嵌合する方向と交差する方向への移動が規制されることを特徴とするコネクタ。
【請求項２】
前記案内溝の内壁における前記圧入突起が圧入される部分とは異なる部分によって囲まれた領域は、前記案内溝における前記圧入突起が圧入される部分の周辺部の肉を逃がすための逃し空間であることを特徴とする請求項１記載のコネクタ。
【請求項３】
前記案内溝は、断面方形状に形成されていることを特徴とする請求項２記載のコネクタ。
【請求項４】
前記圧入突起が前記案内溝に挿入される挿入方向後方には、前記圧入突起によって押圧されて外方に弾性変形し、前記圧入突起との当接状態が解除されることで弾性復帰した前記案内溝の内壁が配されていることを特徴とする請求項２または請求項３記載のコネクタ。
【請求項５】
前記圧入突起は、筒状接続部の両端部にそれぞれ形成されていることを特徴とする請求項１乃至請求項４の何れか一項に記載のコネクタ。
【請求項６】
前記端子金具は、前記筒状接続部の外面から径方向外側に突出して前記両圧入突起の間に設けられ、前記端子収容部の内壁に形成された凹部の内面に沿って配される突出部を備えていることを特徴とする請求項５記載のコネクタ。
【発明の詳細な説明】
【技術分野】
【０００１】
本発明は、コネクタに関する。
【背景技術】
【０００２】
例えば、高周波信号を伝送するためのコネクタとして、特許文献１に記載のものが知られている。このものは、端子金具を内部に保持して回路基板に固定されるコネクタハウジングを備えている。また、端子金具は、高周波信号を伝送する内導体端子と、この内導体端子を内部に収容した誘電体の外周を覆う円筒状の外導体端子とから構成されている。
【先行技術文献】
【特許文献】
【０００３】
【特許文献１】特開２００８−１４７１６３号公報
【発明の概要】
【発明が解決しようとする課題】
【０００４】
ところで、上記のコネクタによると、外導体端子は、円筒状に形成されているため、コネクタハウジングに形成された端子収容部内に外導体端子を挿入した後においても、端子収容部内で端子金具が回転してしまう虞がある。
【０００５】
本発明は上記のような事情に基づいて完成されたものであって、コネクタハウジング内において端子金具が回転することを抑制することを目的とする。
【課題を解決するための手段】
【０００６】
上記の目的を達成するための手段として本発明は、前後に延びる円筒状の筒状接続部を有する端子金具を内部に保持して回路基板の表面に固定される樹脂製のコネクタハウジングを備えたコネクタであって、前記コネクタハウジングの内部に形成され、前記筒状接続部が挿入される端子収容部と、前記端子収容部の内壁に凹んで形成され、前記筒状接続部の挿入方向に沿って延びる案内溝と、前記筒状接続部の外面から先細り状に径方向外側に突出した形態をなして前記案内溝に収容可能にて形成され、前記案内溝に収容されることで、前記案内溝の内壁に圧入される圧入突起とを備え、前記圧入突起は、前記筒状接続部が延びる前後方向略中央部に形成されており、前記筒状接続部の後端部には、前記回路基板まで延びて前記回路基板に接続されるリード部が形成されており、前記端子収容部は、前記コネクタハウジングの後面から一段前方に凹んだ位置に配されており、前記端子収容部の後端下部には、後方に延出された平板状の規制部が設けられており、前記リード部は、前記規制部の後端から前方に向かって延びるスリットに後方から嵌合することで前記規制部によって前記リード部が嵌合する方向と交差する方向への移動が規制されるところに特徴を有する。
このような構成のコネクタによると、案内溝に圧入突起が収容されることで、円筒状の筒状接続部が端子収容部に対して位置決めされた状態で端子収容部内に収容され、圧入突起が案内溝の内壁に圧入されることで、端子収容部内において円筒状の筒状接続部が回転することを抑制することができる。
また、圧入突起が先細り状に形成されているので、例えば、圧入突起が矩形状に形成されている場合に比べて、圧入突起と案内溝の内壁とが接触する面積を大きくすることができる。これにより、圧入突起が矩形状に形成されている場合に比べて、端子収容部内において筒状接続部が回転することをさらに抑制することができる。
さらに、圧入突起は、先細り状に突出して形成されているので、圧入突起が案内溝の内壁によって筒状接続部の軸心側に向かって押圧された状態となる。これにより、例えば圧入突起が矩形状に形成されることで、圧入突起が筒状接続部の軸心側に向かって押圧されないものに比べて、圧入突起によって案内溝の内壁が削り取られることを抑制することができる。
また、筒状接続部の前後方向略中央部と、筒状接続部の後端部とにおいて筒状接続部を保持固定することができるので、筒状接続部を前後方向でバランスよく保持固定することができる。これにより、端子収容部内において、筒状接続部が回転することを確実に抑制することができる。
【０００７】
本発明の実施の態様として、以下の構成が好ましい。
前記案内溝の内壁における前記圧入突起が圧入される部分とは異なる部分によって囲まれた領域は、前記案内溝における前記圧入突起が圧入される部分の周辺部の肉を逃がすための逃し空間である構成としてもよい。
このような構成によると、案内溝の内壁に圧入突起を圧入する際に、案内溝における圧入突起によって押圧される部分の周辺部の肉を逃し空間に逃すことで、案内溝の内壁に対して圧入突起を圧入し易くすることができる。これにより、端子収容部に筒状接続部を挿入する挿入抵抗を小さくすることができると共に、圧入突起によって案内溝の内壁が削り取られることを抑制することができる。すなわち、端子収容部に筒状接続部を挿入する挿入抵抗を低減させつつ、案内溝における圧入突起の保持力を向上させることができる。
【０００８】
前記案内溝は、断面方形状に形成されている構成としてもよい。
このような構成によると、案内溝に大きな逃し空間を容易に形成することができる。これにより、圧入突起によって押し出された肉を逃し空間に逃がし易くすることができる。
【０００９】
前記圧入突起が前記案内溝に挿入される挿入方向後方には、前記圧入突起によって押圧されて外方に弾性変形し、前記圧入突起との当接状態が解除されることで弾性復帰した前記案内溝の内壁が配されている構成としてもよい。
このような構成によると、案内溝に圧入突起を挿入する際に、圧入突起によって押圧されていた案内溝の内壁が弾性復帰して、圧入突起の後方に配されることで、案内溝における圧入突起の保持力を向上させることができる。
【００１０】
前記圧入突起は、筒状接続部の両端部にそれぞれ形成されている構成としてもよい。
このような構成によると、端子収容部内において筒状接続部を筒状接続部の両端部でバランスよく保持固定することができることから、端子収容部内において筒状接続部が回転することを抑制する上で有効である。
【００１１】
前記端子金具は、前記筒状接続部の外面から径方向外側に突出して前記両圧入突起の間に設けられ、前記端子収容部の内壁に形成された凹部の内面に沿って配される突出部を備えている構成としてもよい。
このような構成によると、端子収容部内において筒状接続部が回転しようとした際に、圧入突起に加え、両圧入突起の間においても突出部が凹部の内面に当接することで端子収容部内において筒状接続部が回転することを抑制することができる。これにより、案内溝及び圧入突起にかかる回転力を突出部に分散し、案内溝に対する圧入突起の圧入状態を良好に維持することができ、案内溝の内壁が削られることを抑制することができる。
【発明の効果】
【００１３】
本発明によれば、コネクタハウジング内において端子金具が回転することを抑制することができる。
【図面の簡単な説明】
【００１４】
【図１】基板用コネクタの斜視図
【図２】基板用コネクタの平面図
【図３】基板用コネクタの背面図
【図４】基板用コネクタの分解斜視図
【図５】図３のＶ−Ｖ線断面図
【図６】図３のＶＩ−ＶＩ線断面図
【図７】図２のＶＩＩ−ＶＩＩ線断面図
【図８】図２のＶＩＩＩ−ＶＩＩＩ線断面図
【図９】図２のＩＸ−ＩＸ線断面図
【図１０】外導体端子の斜視図
【図１１】外導体端子の平面図
【図１２】外導体端子の側面図
【発明を実施するための形態】
【００１５】
＜実施形態＞
本発明の実施形態について図１乃至図１２を参照して説明する。
本実施形態は、電気機器などの図示しない回路基板に固定され、同軸ケーブルの端末に設けられた図示しない相手側コネクタと嵌合される基板用コネクタ１０である。
【００１６】
この基板用コネクタ１０は、図１に示すように、合成樹脂製のコネクタハウジング６０と、コネクタハウジング６０の内部に収容された外導体端子（本発明の「端子金具」の一例）４０と、外導体端子４０の内部に誘電体３０を介して収容された内導体端子２０とを備えて構成されている。なお、以下の説明において、上下方向とは図３における上下方向を基準とし、左右方向とは図３における左右方向を基準とする。また、前後方向とは図２における左右方向を基準とし、基板用コネクタ１０の図示右側を前側とする。
【００１７】
コネクタハウジング６０は、図１及び図２に示すように、全体としては前後方向に長い箱型状をなし、コネクタハウジング６０の左右両側面には、基板取付片６３が保持固定されている。この基板取付片６３は、例えばリフロー半田付けなどにによって回路基板に接続され、基板用コネクタ１０が回路基板に固定される。
コネクタハウジング６０の前部には、ハウジング収容部６１が設けられている。ハウジング収容部６１は、図５および図６に示すように、前方に向かって開口して形成されており、前方から図示しない相手方コネクタハウジングがハウジング収容部６１の内部に嵌合されるようになっている。
【００１８】
コネクタハウジング６０には、ハウジング収容部６１の後方に端子収容部６２が設けられている。この端子収容部６２には前後方向に貫通するキャビティ６４が形成されており、キャビティ６４はハウジング収容部６１の奥壁６１Ａと端子収容部６２の後端面とに開口した形態をなしている。このキャビティ６４内には、内導体端子２０及び誘電体３０が収容された外導体端子４０が収容されており、端子収容部６２の後端部からは、内導体端子２０及び外導体端子４０が後方に露出している。
端子収容部６２の後端部における左右両側には、図１及び図２に示すように、後方に向かって延びる一対の保護壁６５が形成されている。一対の保護壁６５は、内導体端子２０及び外導体端子４０を左右両側から囲んだ形態とされ、図示しない他の部材が左右両側から内導体端子２０及び外導体端子４０に接触することを防止している。
【００１９】
外導体端子４０は、導電性に優れた金属板をプレス加工することによって形成されており、図５及び図６に示すように、内導体端子２０の外周を覆っている。
外導体端子４０は、図１０乃至図１２に示すように、円筒形状をなす筒状接続部４１と、筒状接続部４１の後端部における左右両側に設けられた一対の外導体リード部（本発明の「リード部」の一例）４２とを備えて構成されている。
【００２０】
筒状接続部４１は、端子収容部６２を前後方向に貫通した状態でコネクタハウジング６０に保持されており、筒状接続部４１は端子収容部６２の後端面から後方に突出するとともに、ハウジング収容部６１の奥壁６１Ａから前方に突出した状態となっている。
【００２１】
筒状接続部４１の内部には、図５及び図６に示すように、誘電体３０が後方から収容されている。筒状接続部４１の左右両側には、筒状接続部４１の内側に向かって突出する一対の誘電体保持突起４３が設けられている。誘電体保持突起４３は、筒状接続部４１を外側から内側に向かって叩き出して形成されており、後方から前方に向かって略円弧状に拡がる形状をなしている。そして、誘電体保持突起４３が筒状接続部４１の内部に収容された誘電体３０の外面に食い込むことで誘電体３０が外導体端子４０に対して保持固定されている。
【００２２】
外導体リード部４２は、図１及び図６に示すように、筒状接続部４１の後端部からコネクタハウジング６０の底面６０Ａよりもやや上方の位置まで真っ直ぐ下方に延出され、その下端部から後方に屈曲されて形成されている。
また、外導体リード部４２の前後方向略中央部は、筒状接続部４１の後端部よりも後方に突出した形態をなしており、端子収容部６２の後端部から露出した内導体端子２０を左右両側から覆うように形成されている。
また、外導体リード部４２の後方に延びる先端部分は、回路基板のグランドパターンに、例えばリフロー半田付けされることでアース接続され、外部ノイズをグランドパターンに逃すことで、内導体端子２０が外部ノイズからシールドされている。
【００２３】
誘電体３０は、絶縁性を有する合成樹脂からなり、図４乃至図６に示すように、略円筒形状をなす誘電体本体部３１と、誘電体本体部３１の下端部に設けられたブロック状の位置決めリブ３２とを備えて構成されている。
【００２４】
誘電体本体部３１は、外導体端子４０の筒状接続部４１の内周形状とほぼ同一の外周形状に形成されており、図３乃至図５に示すように、外導体端子４０の筒状接続部４１の内周面に誘電体本体部３１の外周面を密着させるようにして筒状接続部４１に収容されている。また、誘電体３０の内部には、内導体端子２０が収容されている。
【００２５】
内導体端子２０は、外導体端子４０に比べてやや厚みのある導電性に優れた金属板をプレス加工することによって形成されている。
内導体端子２０は、図４乃至図６に示すように、図示しない相手側コネクタに設けられた相手側端子と接続される接続部２１と、接続部２１の後方に位置する角型圧入部２２と、角型圧入部２２の後方に位置する幅広の拡幅部２３と、拡幅部２３の後方から下方に延びる内導体リード部２４とを備えて構成されている。
内導体端子２０は、誘電体３０の後方から挿入されて、誘電体３０の前端面から接続部２１が前方に突出した状態に保持固定されている。
【００２６】
接続部２１は、細長い円柱形状に形成されており、外導体端子４０の筒状接続部４１内に配されている。また、接続部２１は、基板用コネクタ１０が相手側コネクタに嵌合されると、相手側コネクタの相手側端子と導通可能に接続されるようになっている。
角型圧入部２２は、接続部２１よりもやや幅広で、且つ、細長い角柱状に形成されている。角型圧入部２２の左右両側面には、内導体保持突起２２Ａが突設されており、内導体保持突起２２Ａを誘電体３０の内面に食い込ませることで、内導体端子２０が誘電体３０に対して保持固定されている。
【００２７】
拡幅部２３は、角型圧入部２２よりもさらに幅広な略矩形の平板状に形成されている。また、拡幅部２３における前端面の左右方向略中央部に角型圧入部２２が配され、拡幅部２３における後端面の左右方向略中央部に内導体リード部２４が配されている。拡幅部２３における左右両側に位置する前端角部は、図５に示すように、丸みを帯びた鈍角に形成されている。これにより、拡幅部２３の前端部は、緩やかな形状とされ、拡幅部２３内を通過する信号の反射や挿入損失が大きくなることを抑制することができるようになっている。
【００２８】
また、拡幅部２３における左右方向両側に位置する後端面は、図１及び図４に示すように、内導体端子２０の延びる前後方向と交差して形成された押圧面２３Ａであって、内導体端子２０を誘電体３０に圧入する際に、治具によって押圧される面とされている。
【００２９】
内導体リード部２４は、図５乃至図６に示すように、外導体端子４０の筒状接続部４１の後端から後方に露出された状態となっている。
内導体リード部２４は、拡幅部２３の後端面から下方向（回路基板側）に屈曲して、屈曲した位置からコネクタハウジング６０の底面６０Ａよりもやや上方まで下方に延びて、その下端部から後方に向かって屈曲されて形成されている。
内導体リード部２４の上下方向略中央部は、拡幅部２３とほぼ同じ板厚寸法で、かつ、ほぼ同じ幅寸法に形成された幅広部２５とされている。また、幅広部２５の前端部は、図３に示すように、下方から上方に向かって内導体リード部２４の軸心に近づくように傾斜して形成されており、幅広部２５における左右方向両側に位置する後端部は、上方から下方に向かって内導体リード部２４の軸心に近づくように傾斜して形成されている。また、幅広部２５の左右両側に位置する前端角部及び後端角部は、丸みを帯びた鈍角に形成されている。これにより、幅広部２５は、上下方向に緩やかな形状とされ、幅広部２５内を通過する信号の反射や挿入損失が大きくなることを抑制することができるようになっている。
【００３０】
内導体リード部２４の後方に延びる先端部分は、回路基板の信号パターンに、例えばリフロー半田付けされるようになっており、図２及び図３に示すように、両外導体リード部４２の左右方向略中央部に配されることで、三本のリード部２４，４２が平行で、かつ、左右方向に横並びとなっている。
【００３１】
さて、コネクタハウジング６０の端子収容部６２における左右両側の内面には、図５及び図７に示すように、案内溝６６がそれぞれ形成されている。一方、外導体端子４０の筒状接続部４１の外面には、案内溝６６の左右方向両側に位置する両側内壁６６Ａに圧入可能な一対のハウジング圧入突起（本発明の「圧入突起」の一例）４６が案内溝６６に収容可能に形成されている。詳しくは、両案内溝６６は、端子収容部６２における左右方向両側の内壁に略四角形状に凹んだ形状に形成されており、端子収容部６２内に筒状接続部４１が挿入される方向である前後方向に沿って延びた形態をなしている。また、案内溝６６におけるハウジング圧入突起４６が圧入される部分は、案内溝６６の両側内壁６６Ａにおける上下方向略中央部とされている。
案内溝６６の後端開口縁には、図３乃至図５に示すように、先細り形状となる案内面６６Ｃが形成されており、案内溝６６に対してハウジング圧入突起４６を挿入する際に、ハウジング圧入突起４６が案内溝６６内の正規の位置に案内されるようになっている。
【００３２】
一対のハウジング圧入突起４６は、筒状接続部４１の前後方向略中央部で、かつ、筒状接続部４１の左右方向両端部に配されており、各ハウジング圧入突起４６は、筒状接続部４１を内側から外側に向かって叩き出して形成されている。また、ハウジング圧入突起４６は、筒状接続部４１の外面から先細り状に径方向外側に突出して形成されており、誘電体保持突起４３とは逆に、前方から後方に向かって略円弧状に拡がる形態をなしている。一方、案内溝６６の案内面６６Ｃは、図３に示すように、ハウジング圧入突起４６の外周形状に沿うように背面視円弧状に形成されており、筒状接続部４１を端子収容部６２に挿入する際に、ハウジング圧入突起４６の突出端部４６Ａが案内面６６Ｃによって案内溝６６の正規の位置（両側内壁６６Ａの上下方向略中央部）に案内することができるようになっている。
【００３３】
したがって、図５及び図７に示すように、ハウジング圧入突起４６の突出端部４６Ａが案内溝６６の両側内壁６６Ａの上下方向略中央部に傾斜した状態で圧入されている。これにより、筒状接続部４１が端子収容部６２内の左右両側においてバランスよく保持固定することができ、端子収容部６２内において筒状接続部４１が回転することを抑制することができる。また、ハウジング圧入突起４６が案内溝６６の両側内壁６６Ａに対して傾斜した状態で圧入されていることから、例えば、左右方向に真っ直ぐ延びる平板状に形成された圧入突起を案内溝６６の内壁に圧入する場合に比べて、ハウジング圧入突起４６と案内溝６６の両側内壁６６Ａとが筒状接続部４１が回転する方向に接触する面積を大きくすることができる。これにより、ハウジング圧入突起が平板状に形成される場合に比べて、端子収容部６２内において筒状接続部４１が回転することをさらに抑制することができる。
【００３４】
さらに、ハウジング圧入突起４６は先細り状に突出して形成されているので、ハウジング圧入突起４６は、図７に示すように、案内溝６６の両側内壁６６Ａによって筒状接続部４１の軸心側方向Ｘ１に向かって押圧された状態となる。これにより、ハウジング圧入突起の断面形状が矩形状に形成されたものに比べて、案内溝６６の両側内壁６６Ａがハウジング圧入突起４６によって削り取られることを抑制することができる。
【００３５】
また、案内溝６６の内部空間のうち、ハウジング圧入突起４６が挿入される空間の上下方向両側の空間（案内溝６６の内壁におけるハウジング圧入突起４６が圧入される部分とは異なる部分によって囲まれた領域）は、ハウジング圧入突起４６を案内溝６６の両側内壁６６Ａに圧入する際に、ハウジング圧入突起４６が圧入される部分の周辺部の肉を逃がす逃がし空間６６Ｂとされている。すなわち、ハウジング圧入突起４６を案内溝６６の両側内壁６６Ａに圧入する際に、案内溝６６の両側内壁６６Ａにおけるハウジング圧入突起４６が圧入される部分の周辺部の肉を逃がし空間６６Ｂに逃がすことで、案内溝６６の両側内壁６６Ａに対してハウジング圧入突起４６を圧入し易くすることができる。これにより、端子収容部６２に筒状接続部４１を挿入する挿入抵抗を小さくすることができると共に、ハウジング圧入突起４６によって案内溝６６の両側内壁６６Ａが削り取られることをさらに抑制することができる。すなわち、端子収容部６２に筒状接続部４１を挿入する挿入抵抗を低減させつつ、案内溝６６におけるハウジング圧入突起４６の保持力を向上させることができる。
【００３６】
なお、ハウジング圧入突起４６によって案内溝６６の両側内壁６６Ａが削り取られることを抑制したことで、ハウジング圧入突起４６の後方には、図５に示すように、案内溝６６の両側内壁６６Ａが削り取られずに配された状態となっている。詳しくは、ハウジング圧入突起４６によって押圧されて左右方向外方に弾性変形した案内溝６６の両側内壁６６Ａが、ハウジング圧入突起４６との当接状態が解除されることで左右方向内側に弾性復帰し、ハウジング圧入突起４６の後方に配された状態となっている。これにより、案内溝６６の両側内壁６６Ａにおけるハウジング圧入突起４６の保持力を向上させることができ、外導体端子４０を確実に抜け止めすることができる。
【００３７】
一方、端子収容部６２の下側内面には、図８に示すように、下方に凹んだ位置決め片収容凹部６７が形成されている。この位置決め片収容凹部（本発明の「凹部」の一例）６７は、上方及び後方に開口した形態をなし、断面略矩形状に形成されている。また、位置決め片収容凹部６７の内部には、筒状接続部４１の下端部に形成された一対の位置決め片（本発明の「突出部」の一例）４７が収容されている。
一対の位置決め片４７は、前後方向に延びる平板状に形成されている。また、一対の位置決め片４７は、位置決め片収容凹部６７の左右方向両側に位置する内壁に沿うように後方から収容されており、両位置決め片４７が位置決め片収容凹部６７における左右方向両側の内壁に左右方向に当接することで、位置決め片収容凹部６７内において位置決め片４７が左右方向に移動しないように規制されている。これにより、筒状接続部４１が端子収容部６２内における両ハウジング圧入突起４６の略中央部においても端子収容部６２内において筒状接続部４１が回転することを抑制することができ、案内溝６６及びハウジング圧入突起４６にかかる回転力を分散することができる。この結果、案内溝６６に対するハウジング圧入突起４６の圧入状態を良好に維持することができ、案内溝６６の両側内壁６６Ａが削られることをさらに抑制することができる。なお、両位置決め片４７の間には、誘電体３０の位置決めリブ３２が両位置決め片４７の内面に沿うように嵌合されており、位置決めリブ３２が両位置決め片４７によって左右方向移動することを規制されることで、誘電体３０は筒状接続部４１内において回転できないように保持されている。
【００３８】
また、端子収容部６２の後端下部には、後方に延出された平板状をなす規制部６８が設けられている。この規制部６８は、外導体端子４０における外導体リード部４２が延びる上下方向と交差する形態をなし、規制部６８には、上下方向に貫通する一対のスリット６９が形成されている。
【００３９】
スリット６９は、規制部６８の後端面から前方に向かって延びて形成されており、スリット６９の左右方向の幅寸法は、外導体リード部４２の板厚寸法とほぼ同じに設定されている。また、両スリット６９は、外導体リード部４２が配される位置にそれぞれ形成されており、各外導体リード部４２が後方から個別に嵌合されている。これにより、外導体リード部４２は、規制部６８によって左右方向に移動することが規制され、端子収容部６２内において筒状接続部４１が回転することを筒状接続部４１の後端部においても、規制することができるようになっている。すなわち、ハウジング圧入突起４６によって筒状接続部４１の前後方向略中央部を保持固定することができると共に、規制部６８によって筒状接続部４１の後端部を固定することができる。これにより、筒状接続部４１が端子収容部６２内で回転することを、筒状接続部４１の前後方向でバランスよく抑制することができる。
【００４０】
本実施形態の基板用コネクタ１０は上記のような構造であって、次にコネクタハウジング６０に外導体端子４０を挿入する際の作用効果を説明する。
外導体端子４０の両ハウジング圧入突起４６が左右両側に配されるように外導体端子４０をコネクタハウジング６０の後方に配置し、端子収容部６２に対して筒状接続部４１を挿入する。
【００４１】
筒状接続部４１の前半分が挿入されたところで、案内溝６６にハウジング圧入突起６４が挿入され、案内溝６６の案内面６６Ｃがハウジング圧入突起４６を正規の位置に案内することで、ハウジング圧入突起４６の突出端部４６Ａが案内溝６６の両側内壁６６Ａの上下方向略中央部に圧入される。このとき、案内溝６６の両側内壁６６Ａは、ハウジング圧入突起４６によって押圧され、押圧された部分の周辺部の肉は、逃がし空間６６Ｂに逃がされる。そして、ハウジング圧入突起４６との当接状態が解除されると、ハウジング圧入突起４６によって押圧された案内溝６６の両側内壁６６Ａは左右方向内側に弾性復帰し、ハウジング圧入突起４６の後方に配された状態となる。このように、案内溝６６の両側内壁６６Ａは、ハウジング圧入突起４６によって押圧された部分の周辺部の肉が逃がし空間６６Ｂに逃がされることで、ハウジング圧入突起６４によって削り取られることを抑制される。
【００４２】
そして、筒状接続部４１が端子収容部６２の正規の位置まで挿入されると、図５乃至図９に示すように、ハウジング圧入突起６４が案内溝６６の両側内壁６６Ａに圧入される。また、これと同時に、位置決め片４７が位置決め片収容凹部６７に収容されると共に、外導体リード部４２が規制部６８のスリット６９内に嵌合される。
【００４３】
以上のように、本実施形態によると、筒状接続部４１が端子収容部６２内において前後左右においてバランスよく保持固定されることで、筒状接続部４１が端子収容部６２内において回転することを確実に抑制することができるようになっている。
【００４４】
＜他の実施形態＞
本発明は上記記述及び図面によって説明した実施形態に限定されるものではなく、例えば次のような実施形態も本発明の技術的範囲に含まれる。
【００４５】
（１）上記実施形態では、ハウジング圧入突起４６が筒状接続部４１の左右両側にのみ形成された構成としたが、本発明はこのような態様に限定されるものではなく、例えば、ハウジング圧入突起が筒状接続部の上部などに形成されてもよい。
（２）上記実施形態では、基板用コネクタ１０を構成する例を示したが、本発明はこのような態様に限定されるものではなく、例えば、ワイヤーハーネス用のコネクタに適用してもよい。
（３）上記実施形態では、内部に誘電体を介して内導体端子を収容する外導体端子にハウジング圧入突起が形成された基板用コネクタを例示したが、本発明はこのような態様に限定されるものではなく、例えば、円筒状の雄型端子金具もしくは円筒状の雌型端子金具を保持するコネクタの雄型端子金具及び雌型端子金具にハウジング圧入突起を形成してもよい。
【符号の説明】
【００４６】
１０：基板用コネクタ
４０：外導体端子（端子金具）
４１：筒状接続部
４２：外導体リード部（リード部）
４７：位置決め片（突出部）
４６：ハウジング圧入突起（圧入突起）
６０：コネクタハウジング
６２：端子収容部
６６：案内溝
６６Ｂ：逃し空間
６７：位置決め片収容凹部（凹部）
６８：規制部
【図１】
0005757198.tif 000002
【図２】
0005757198.tif 000003
【図３】
0005757198.tif 000004
【図４】
0005757198.tif 000005
【図５】
0005757198.tif 000006
【図６】
0005757198.tif 000007
【図７】
0005757198.tif 000008
【図８】
0005757198.tif 000009
【図９】
0005757198.tif 000010
【図１０】
0005757198.tif 000011
【図１１】
0005757198.tif 000012
【図１２】
0005757198.tif 000013